(57)【要約】【課題】  入力信号のヒストグラム情報に基づいた周波数誤差検出装置および検出方法を提供し、入力信号のヒストグラム情報に基づいた周波数誤差検出装置および検出方法を提供する。【解決手段】  同期信号だけでなく、データ情報の周期信号を用いて入力信号のヒストグラム情報に基づいた周波数誤差検出装置および検出方法を提供し、また周波数誤差検出にかかる時間および周波数誤差値（ＦＥ）の正確度がシステムの必要に応じて選択的に自動調節可能な、入力信号のヒストグラム情報に基づいた周波数誤差検出装置および検出方法を提供する。本発明によれば、周波数誤差検出にかかる時間を短縮することが可能であり、検出される周波数誤差値（ＦＥ）の正確度を高めることが可能となる。【選択図】       図３
2004281040.tif 000002
【特許請求の範囲】
【請求項１】
周波数同期化が必要な電子装置に入力されたアナログ入力信号をサンプリングして正または負のいずれかの符号を有するデジタル値に変換するアナログ／ディジタル変換部と、
変換された前記デジタル値の符号変化を検出して符号の極性が変化するゼロ交差点を検出するゼロ交差点検出部と、
検出された２つの隣り合う前記ゼロ交差点の間の信号であって周期信号に相当する前記デジタル値の個数である周期情報を検出する周期情報検出部と、
検出された前記周期信号に基づいて前記周期情報の検出頻度をカウントして前記周期情報のヒストグラム情報を算出するヒストグラム情報算出部と、
検出された前記ヒストグラム情報および前記電子装置と周波数同期化の行われた信号に対する基準ヒストグラム情報の差異値を検出し、検出された前記差異値に基づいて所定の演算過程を経て周波数誤差値を演算する周波数誤差演算部と、を備えることを特徴とする入力信号のヒストグラム情報に基づいた周波数誤差検出装置。
【請求項２】
検出された前記ゼロ交差点数をカウントし、カウントされた前記ゼロ交差点数と周波数誤差検出のために設定された誤差検出対象ゼロ交差点数とが互いに同一であるか否かによって前記ゼロ交差点検出部を制御するゼロ交差点カウント・比較部をさらに備え、
前記ゼロ交差点検出部は、カウントされた前記ゼロ交差点数と前記誤差検出対象ゼロ交差点数とが互いに同一である場合、前記ゼロ交差点カウント・比較部の制御で前記ゼロ交差点の検出を中断することを特徴とする請求項１に記載の入力信号のヒストグラム情報に基づいた周波数誤差検出装置。
【請求項３】
演算された前記周波数誤差値に基づいて前記誤差検出対象ゼロ交差点数を算出して前記ゼロ交差点カウント・比較部に出力するフィードバック部をさらに備えることを特徴とする請求項２に記載の入力信号のヒストグラム情報に基づいた周波数誤差検出装置。
【請求項４】
前記フィードバック部は、
複数の誤差検出ステップで演算された前記周波数誤差値に対応する誤差検出ステップをマッピングして検出する誤差検出ステップマッピング部と、
検出された前記誤差検出ステップに基づいて前記誤差検出対象ゼロ交差点数を指定する誤差検出対象ゼロ交差点数指定部と、を備えることを特徴とする請求項３に記載の入力信号のヒストグラム情報に基づいた周波数誤差検出装置。
【請求項５】
前記複数の誤差検出ステップが２ステップである場合、演算された前記周波数誤差値が所定の誤差値以上であるときには周波数誤差値検出の迅速性のために前記誤差検出対象ゼロ交差点数を所定数以下に指定させる安定化ステップと、演算された前記周波数誤差値が所定の誤差値以下であるときには周波数誤差値の精度のために前記誤差検出対象ゼロ交差点数を所定数以上に指定させる安定ステップと、に分けられることを特徴とする請求項４に記載の入力信号のヒストグラム情報に基づいた周波数誤差検出装置。
【請求項６】
前記周波数誤差演算部は、前記基準ヒストグラム情報の平均値に相当する周期情報および前記基準ヒストグラム情報における周期情報のうちの最大周期情報に基づいて演算を行うことを特徴とする請求項１に記載の入力信号のヒストグラム情報に基づいた周波数誤差検出装置。
【請求項７】
前記周波数誤差値は、次の数式
【数１】
2004281040.tif 000005
（式中、ｐは前記基準ヒストグラム情報の平均値に相当する周期情報、ｑは前記基準ヒストグラム情報における周期情報のうちの最大周期情報、refiは前記基準ヒストグラム情報のうちｉ番目の周期情報の頻度値、reciは前記誤差検出対象ヒストグラム情報のｉ番目の周期情報の頻度値、Ｎは前記周波数誤差検出部で使用された前記周期情報を示す）によって演算されることを特徴とする請求項６に記載の入力信号のヒストグラム情報に基づいた周波数誤差検出装置。
【請求項８】
（ａ）周波数同期化が必要な電子装置に入力されたアナログ入力信号をサンプリングして正または負のいずれかの符号を有するデジタル値に変換するステップと、
（ｂ）変換された前記デジタル値の符号変化を検出して符号の極性が変化するゼロ交差点を検出するステップと、
（ｃ）検出された２つの隣り合う前記ゼロ交差点の間の信号であって周期信号に相当する前記デジタル値の個数である周期情報を検出するステップと、
（ｄ）検出された前記周期情報に基づいて周期情報別の検出頻度をカウントして周期情報別のヒストグラム情報である誤差検出対象ヒストグラム情報を算出するステップと、
（ｅ）検出された前記誤差検出対象ヒストグラム情報と前記電子装置と周波数同期化の行われた信号に対する基準ヒストグラム情報との差異値を検出し、検出された前記差異値に基づいて所定の演算過程を経て周波数誤差値を演算するステップと、を含むことを特徴とする入力信号のヒストグラム情報に基づいた周波数誤差検出方法。
【請求項９】
前記（ｂ）ステップにて検出された前記ゼロ交差点数をカウントし、カウントされた前記ゼロ交差点数と前記誤差検出対象ゼロ交差点数とが同一である場合、前記ゼロ交差点の検出を中断することを特徴とする請求項８に記載の入力信号のヒストグラム情報に基づいた周波数誤差検出方法。
【請求項１０】
前記誤差検出対象ゼロ交差点数は、演算された前記周波数誤差値に基づいて算出されたことを特徴とする請求項９に記載の入力信号のヒストグラム情報に基づいた周波数誤差検出方法。
【請求項１１】
前記誤差検出対象ゼロ交差点数は、複数の誤差検出ステップの中で演算された前記周波数誤差値に対応された誤差検出ステップをマッピングして検出するステップと、
検出された前記誤差検出ステップに基づいて、前記誤差検出対象ゼロ交差点数を算出するステップと、を用いて算出することを特徴とする請求項１０に記載の入力信号のヒストグラム情報に基づいた周波数誤差検出方法。
【請求項１２】
前記複数の誤差検出ステップが２ステップである場合、演算された前記周波数誤差値が所定の誤差値以上であるとき、周波数誤差値検出の迅速性のために前記誤差検出対象ゼロ交差点数を所定数以下に指定させる安定化ステップと、演算された前記周波数誤差値が所定の誤差値以下であるとき、周波数誤差値の精度のために前記誤差検出対象ゼロ交差点数を所定数以上に指定させる安定ステップと、に分けられることを特徴とする請求項１１に記載の入力信号のヒストグラム情報に基づいた周波数誤差検出方法。
【請求項１３】
前記（ｅ）ステップは、前記基準ヒストグラム情報の平均値に相当する周期情報および前記基準ヒストグラム情報における周期情報のうちの最大周期情報に基づいて演算を行うことを特徴とする請求項８に記載の入力信号のヒストグラム情報に基づいた周波数誤差検出方法。
【請求項１４】
前記周波数誤差値は、次の数式
【数２】
2004281040.tif 000006
（式中、ｐは前記基準ヒストグラム情報の平均値に相当する周期情報、ｑは前記基準ヒストグラム情報における周期情報のうちの最大周期情報、refiは前記基準ヒストグラム情報のうちｉ番目の周期情報の頻度値、reciは前記誤差検出対象ヒストグラム情報のｉ番目の周期情報の頻度値、Ｎは前記周波数誤差検出部で使用された前記周期情報を示す）によって演算されることを特徴とする請求項１３に記載の入力信号のヒストグラム情報に基づいた周波数誤差検出方法。
【発明の詳細な説明】
【技術分野】
【０００１】
本発明は、入力信号の周波数誤差検出装置および検出方法に関し、より詳しくは、入力信号のヒストグラム情報を算出して分析することにより、周波数誤差を検出する入力信号の周波数誤差検出装置および検出方法に関する。
【背景技術】
【０００２】
一般に、通信装備またはデータ格納装置などの受信システムで信号を受信するとき、送信システムから送られたＲＦ信号（高周波信号）の周波数を検出し、入力されたＲＦ信号の周波数に受信システムの動作周波数を同期化させる。かかる周波数同期化のためには、周波数同期回路が必要となり、特に、周波数検出器が必要となる。通常、周波数検出器に入力されたＲＦ信号に基づいて検出された周波数は、受信システムの動作周波数とは誤差が存在し、かかる誤差を補償するため、従来から周波数誤差検出装置が使用されている。
【０００３】
図１は、入力信号の周期信号に関する周期情報を検出するためのタイミング図であり、図２は、従来の周波数誤差検出装置の構成を示すブロック図である。
【０００４】
図１において、ａは、入力信号を示し、特に、実線は、入力されたアナログ信号を、点線は、変換したデジタル値を示す。ｂは、データクロックを、ｃは、データクロック周期を数える（カウントする）過程を意味し、ｄは、入力信号においてゼロ交差点の間を意味する周期信号のデータクロック周期のカウント数の結果値であって、本発明では、これを「周期情報」と称する。ｅは、ゼロ交差点のカウント値を示す。以下、説明の便宜性のため、入力信号が入力される受信システムを、ＤＶＤ（Ｄｉｇｉｔａｌ  Ｖｅｒｓａｔｉｌｅ  Ｄｉｓｃ）システムを例にして開示する。
【０００５】
図２に示すように、従来の周波数誤差検出装置は、ＤＶＤシステム内に設けられ、Ａ／Ｄ（アナログ／デジタル）変換部１０、ゼロ交差点検出部（Ｚｅｒｏ  Ｃｒｏｓｓｉｎｇ  Ｐｏｉｎｔ  Ｄｅｔｅｃｔｏｒ）１１、周期情報検出部１２、ゼロ交差点カウント・比較部１３、最大周期検出部１４および周波数誤差演算部１５を具備する。
【０００６】
Ａ／Ｄ変換部１０は、入力されたアナログ入力信号をサンプリングし、これをデジタル値に変換して出力する。デジタル値は、正または負の符号のいずれか一方を有する。ゼロ交差点検出部１１は、変換されたデジタル値の符号変化を検出し、符号の極性が変化するゼロ交差点を検出して出力する。
【０００７】
周期情報検出部１２は、検出されたゼロ交差点に基づいてゼロ交差点の間の信号である周期信号の周期情報を検出して出力する。ここで、周期情報とは、前記のように、それぞれの周期信号に相当するデジタルクロックの個数、即ち、周期信号についてその周期時間をデータクロックの周期時間（Ｔ）で数えた（カウントした）数を意味する。図１の実施形態ではｄに示したように、第１の周期信号は、５Ｔの周期情報を有し、第２の周期信号は、２Ｔの周期情報を有する。
【０００８】
ゼロ交差点カウント・比較部１３は、ゼロ交差点が検出されると、検出されたゼロ交差点の数をカウントする。次に、現在までカウントされたゼロ交差点の数が初期に設定された誤差検出対象ゼロ交差点の数と一致するか否かを判別する。一致する場合は、ゼロ交差点検出部１１に所定の信号を出力してゼロ交差点の検出を中断するように制御する。
【０００９】
最大周期信号検出部１４は、検出された周期情報のうちから最大周期情報を有する周期信号を検出する。ＤＶＤシステムの場合は、データ情報に相当する周期信号は、３Ｔ〜１１Ｔの周期情報を有し、周波数同期化に必要な同期信号は、１４Ｔの周期情報を有する。従って、ＤＶＤシステムでは、１４Ｔの周期情報を有する周期信号が最大周期情報を有する周期信号であると共に同期信号であり、最大周期信号検出部１４では、１４Ｔの周期情報を有する周期信号を検出し、これを周波数誤差演算部１５に出力する。
【００１０】
周波数誤差演算部１５は、ＤＶＤシステムの正常状態で検出された基準同期信号を格納している。そして、格納された基準同期信号および入力された最大周期情報を有する周期信号との差異値を算出し、算出された差異値に基づいて所定の過程を経て周波数誤差値（ＦＥ：Ｆｒｅｑｕｅｎｃｙ  Ｅｒｒｏｒ）を演算する。次に、演算された周波数誤差値（ＦＥ）に基づいてＤＶＤシステム内に入力された入力信号の周波数とＤＶＤシステムの動作周波数とは、同期される。
【００１１】
しかし、ＤＶＤシステムにおいては、一定の間隔毎に、例えば、１４８８個のデータ毎に挿入されている所定の周期情報を有する同期信号、例えば、１４クロック周期情報を有する周期信号を検出し、検出された同期信号に基づいてＤＶＤシステムの動作周波数と同期をなすようにしている。従って、既存の周波数誤差検出装置によりＤＶＤシステムの周波数同期化を実現するためには、少なくとも１つの同期信号を検出する必要があり、少なくとも１つの同期信号を検出するためには、多くのデータ区間、例えば、少なくとも１４８８個のデータ区間の検索を行う必要がある。
【００１２】
しかし、多くのシステムにおいては、周波数同期化を迅速に具現する必要があるため、データ区間の検出に時間が多くかかることは、ＤＶＤシステムの作動時において問題点となる。
【００１３】
また、同期信号の周期情報を検出するため、図１のように、単純に入力信号の極性変化が用いられる場合は、ゼロ交差点付近にあるデジタル値の極性が外部から雑音が加えられる状況では、元の極性とは反対の極性として検出され、周波数誤差検出の精度が低下することがあるという問題点が発生した。
【発明の開示】
【発明が解決しようとする課題】
【００１４】
本発明は、前記の問題点を解決するためになされたものであって、本発明の目的は、同期信号だけでなく、データ情報の周期信号を用いて周波数誤差を検出することにより、周波数誤差検出にかかる時間を短縮すると共に、検出される周波数誤差値（ＦＥ）の正確度を高めることのできる入力信号のヒストグラム情報に基づいた周波数誤差検出装置および検出方法を提供することにある。
【００１５】
本発明の他の目的は、周波数誤差検出にかかる時間および周波数誤差値（ＦＥ）の正確度がシステムの必要に応じて選択的に自動調節できる、入力信号のヒストグラム情報に基づいた周波数誤差検出装置および検出方法を提供することにある。
【課題を解決するための手段】
【００１６】
前記の目的を達成するための本発明に係る周波数誤差検出装置は、周波数同期化が必要な電子装置に入力されたアナログ入力信号をサンプリングして正または負のいずれかの符号を有するデジタル値に変換するＡ／Ｄ変換部と、変換された前記デジタル値の符号変化を検出して符号の極性が変化するゼロ交差点を検出するゼロ交差点検出部と、検出された２つの隣り合う前記ゼロ交差点の間の信号であって周期信号に相当する前記デジタル値の個数である周期情報を検出する周期情報検出部と、検出された前記周期情報に基づいて周期情報別の検出頻度をカウントして周期情報別のヒストグラム情報である誤差検出対象ヒストグラム情報を算出するヒストグラム情報算出部と、検出された前記誤差検出対象ヒストグラム情報および前記電子装置と周波数同期化が行われた信号に対する基準ヒストグラム情報の差異値を検出し、検出された前記差異値に基づいて所定の演算過程を経て周波数誤差値（ＦＥ）を演算する周波数誤差演算部と、を備える。
【００１７】
前記周波数誤差検出装置は、検出された前記ゼロ交差点の数をカウントし、カウントされた前記ゼロ交差点数と周波数誤差検出のために設定された誤差検出対象ゼロ交差点数とが互いに同一であるか否かによって前記ゼロ交差点検出部を制御するゼロ交差点カウント・比較部をさらに備え、前記ゼロ交差点検出部は、カウントされた前記ゼロ交差点数と前記誤差検出対象ゼロ交差点数とが互いに同一である場合、前記ゼロ交差点カウント・比較部の制御により前記ゼロ交差点の検出を中断することを特徴とする。
【００１８】
前記周波数誤差検出装置は、演算された前記周波数誤差値（ＦＥ）に基づいて前記誤差検出対象ゼロ交差点数を算出して前記ゼロ交差点カウント・比較部に出力するフィードバック部をさらに備えることが好ましい。
【００１９】
前記フィードバック部は、複数の誤差検出ステップで演算された前記周波数誤差値（ＦＥ）に対応した誤差検出ステップをマッピングして検出する誤差検出ステップマッピング部と、検出された前記誤差検出ステップに基づいて前記誤差検出対象ゼロ交差点数を指定する誤差検出対象ゼロ交差点数指定部と、を備える。
【００２０】
前記複数の誤差検出ステップが２ステップである場合、演算された前記周波数誤差値（ＦＥ）が所定の誤差値以上であるとき、周波数誤差値検出の迅速性のために前記誤差検出対象ゼロ交差点数を所定数以下に指定させる安定化ステップと、演算された前記周波数誤差値（ＦＥ）が所定の誤差値以下であるとき、周波数誤差値（ＦＥ）の精度のために前記誤差検出対象ゼロ交差点数を所定数以上に指定させる安定ステップとに分けられる。
【００２１】
前記周波数誤差演算部は、前記基準ヒストグラム情報の平均値に相当する周期情報および前記基準ヒストグラム情報における周期情報のうちの最大周期情報に基づいて演算を行う。
【００２２】
前記周波数誤差値（ＦＥ）は、次の数式により演算されることが好ましい。
【数３】
2004281040.tif 000003
【００２３】
ここで、式中、ｐは前記基準ヒストグラム情報の平均値に相当する周期情報、ｑは前記基準ヒストグラム情報における周期情報のうちの最大周期情報、refiは前記基準ヒストグラム情報のうちｉ番目の周期情報の頻度値、reciは前記誤差検出対象ヒストグラム情報のｉ番目の周期情報の頻度値、Ｎは前記周波数誤差検出部で使用された前記周期情報を示す。
【００２４】
また、前記の目的を達成するための本発明に係る周波数誤差検出方法は、（ａ）周波数同期化が必要な電子装置に入力されたアナログ入力信号をサンプリングして正および負の符号を有するデジタル値に変換するステップと、（ｂ）変換された前記デジタル値の符号変化を検出して符号の極性が変化するゼロ交差点を検出するステップと、（ｃ）検出された２つの隣り合う前記ゼロ交差点の間の信号であって周期信号に該当する前記デジタル値の個数である周期情報を検出するステップと、（ｄ）検出された前記周期情報に基づいて周期情報別の検出頻度をカウントして周期情報別のヒストグラム情報である誤差検出対象ヒストグラム情報を算出するステップと、（ｅ）検出された前記誤差検出対象ヒストグラム情報と前記電子装置と周波数同期化の行われた信号に対する基準ヒストグラム情報との差異値を検出し、検出された前記差異値に基づいて所定の演算過程を経て周波数誤差値（ＦＥ；１００％表記）を演算するステップと、を含む。
【００２５】
前記周波数誤差検出方法は、（ｆ）検出された前記ゼロ交差点の数をカウントし、カウントされた前記ゼロ交差点数と周波数誤差検出のために設定された誤差検出対象ゼロ交差点数とが互いに同一であるか否かによって前記（ｂ）ステップを制御するステップをさらに含み、前記（ｂ）ステップは、カウントされた前記ゼロ交差点数と前記誤差検出対象ゼロ交差点数とが互いに同一である場合、前記ゼロ交差点の検出を中断することを特徴とする。
【００２６】
前記周波数誤差検出方法は、（ｇ）演算された前記周波数誤差値（ＦＥ）に基づいて前記誤差検出対象ゼロ交差点数を算出して前記（ｆ）ステップに出力するステップをさらに含む。
【００２７】
前記（ｇ）ステップは、（ｇ１）複数の誤差検出ステップで演算された前記周波数誤差値（ＦＥ）に対応した誤差検出ステップをマッピングして検出するステップと、（ｇ２）検出された前記誤差検出ステップに基づいて前記誤差検出対象ゼロ交差点数を算出するステップと、を含む。
【００２８】
前記複数の誤差検出ステップが２ステップである場合、演算された前記周波数誤差値（ＦＥ）が所定の誤差値以上であるとき、周波数誤差値検出の迅速性のために前記誤差検出対象ゼロ交差点数を所定数以下に指定させる安定化ステップと、演算された前記周波数誤差値（ＦＥ）が所定の誤差値以下であるとき、周波数誤差値（ＦＥ）の精度のために前記誤差検出対象ゼロ交差点数を所定数以上に指定させる安定ステップと、に分けられる。
【００２９】
前記（ｅ）ステップは、前記基準ヒストグラム情報の平均値に相当する周期情報および前記基準ヒストグラム情報における周期情報のうちの最大周期情報に基づいて演算を行うことが好ましい。
【発明の効果】
【００３０】
本発明に係る入力信号のヒストグラム情報に基づいた周波数誤差検出装置および検出方法によれば、同期信号だけでなくデータ情報の周期信号を用いて周波数誤差を検出することによって、周波数誤差検出にかかる時間を短縮すると共に検出される周波数誤差値（ＦＥ）の正確度を高めることができる。そして、周波数誤差検出にかかる時間および周波数誤差値（ＦＥ）の正確度がシステムの必要に応じて選択的に自動調節可能である。
【発明を実施するための最良の形態】
【００３１】
以下、添付の図面を参照して本発明に係る入力信号のヒストグラム情報に基づいた周波数誤差検出装置および検出方法について一実施例をあげて詳述する。
【実施例】
【００３２】
図３は、本発明に係る周波数誤差検出装置の構成を示すブロック図であり、本発明に係る周波数誤差検出装置は、Ａ／Ｄ変換部１００、ゼロ交差点検出部１１０、周期情報検出部１２０、ゼロ交差点カウント部１３０、ヒストグラム情報算出部１４０、周波数誤差演算部１５０およびフィードバック部１６０を有する。但し、Ａ／Ｄ変換部１００、ゼロ交差点検出部１１０、周期情報検出部１２０およびゼロ交差点カウント部１３０については、図２に示されたＡ／Ｄ変換部１０、ゼロ交差点検出部１１、周期情報検出部１２およびゼロ交差点カウント部１３と同様な動作を行っているため、詳細な説明は、省略する。
【００３３】
ヒストグラム情報算出部１４０は、周期情報検出部１２０で検出された周期情報に基づいてそれぞれの周期情報別の検出頻度をカウントして周期情報別のヒストグラム情報を算出して出力する。以下、算出されたヒストグラム情報を「誤差検出対象ヒストグラム情報」と称する。
【００３４】
周波数誤差演算部１５０は、ＤＶＤシステムの正常状態で検出された基準ヒストグラム情報を格納している。また、格納された基準ヒストグラム情報と入力された誤差検出対象ヒストグラム情報との差異値を算出し、算出された差異値に基づいて所定の過程を経て周波数誤差値（ＦＥ）を演算する。
【００３５】
ここで、基準ヒストグラム情報の平均値に相当する周期情報を、基準ヒストグラム情報における周期情報のうちの最大周期情報をｑ、基準ヒストグラム情報のうちｉ番目の周期情報の頻度値をrefi、誤差検出対象ヒストグラム情報のｉ番目の周期情報の頻度値をreci、周波数誤差検出ステップで使用された全デジタル値をＮで示す場合、周波数誤差値（ＦＥ）は、次の数式（１）で求められる。
【数４】
2004281040.tif 000004
そして、演算された周波数誤差値（ＦＥ）に基づいてＤＶＤシステム内に入力された入力信号の周波数とＤＶＤシステムの動作周波数とは、同期する。
【００３６】
また、本発明によれば、演算された周波数誤差値（ＦＥ）は、フィードバック部１６０に入力される。
【００３７】
フィードバック部１６０は、誤差検出ステップマッピング部１６１および誤差検出対象ゼロ交差点数指定部１６２を有する。
【００３８】
誤差検出ステップマッピング部１６１は、所定のマッピングテーブルを有し、このマッピングテーブルにおいて、一方の軸は、周波数誤差値（ＦＥ）、他方の軸は、誤差検出ステップとすることが好ましい。誤差検出ステップマッピング部１６１は、所定のマッピングテーブルを用いることで入力された周波数誤差値（ＦＥ）に対応する誤差検出ステップを算出する。
【００３９】
ここで、誤差検出ステップは、ＤＶＤシステムにおいて少なくとも２ステップに分けられ、周波数誤差値（ＦＥ）の検出所要時間および周波数誤差値（ＦＥ）の精度に基づいてそれぞれのステップは分けられる。本明細書では、説明の便宜のため、安定化ステップおよび安定ステップの２ステップに分けて説明しているが、これに限定されるのではない。安定化ステップは、通常、システムの初期に該当するステップで算出された周波数誤差値（ＦＥ）が所定の誤差値以上である場合であって、これは、精度は低下するが、迅速に周波数誤差値（ＦＥ）を算出する必要がある場合のステップである。安定ステップは、通常、所定の周波数誤差検出過程を経て算出された周波数誤差値（ＦＥ）が所定の誤差値以下である場合であって、周波数誤差値（ＦＥ）の算出に時間が長くかかるが、正確な周波数誤差値（ＦＥ）を算出する必要がある場合のステップである。
【００４０】
誤差検出対象ゼロ交差点数指定部１６２は、誤差検出ステップマッピング部１６１で算出された誤差検出ステップに基づいて以後の周波数誤差値検出過程で使用される誤差検出対象ゼロ交差点数を算出し、その誤差検出対象ゼロ交差点数をゼロ交差点カウント比較部１３０に出力する。ゼロ交差点カウント・比較部１３０では、これが入力され、以後の周波数誤差値検出過程に周波数誤差値（ＦＥ）の演算のためのゼロ交差点の検出に使用する。安定化ステップが入力された場合は、現在誤差検出対象ゼロ交差点数より少ない誤差検出対象ゼロ交差点数が算出される。また、安定ステップが入力された場合は、現在誤差検出対象ゼロ交差点数より多い誤差検出ゼロ交差点数が算出される。
【００４１】
図４は、本発明に係る周波数誤差検出方法で周波数誤差値（ＦＥ）を検出する過程を示すフローチャートであり、図５は、本発明に係る周波数誤差検出方法で検出された周波数誤差値（ＦＥ）により誤差検出対象ゼロ交差点数を算出する過程を示すフローチャートである。以下、図３乃至図５を参照して本発明について詳述する。
【００４２】
先ず、本発明に係るＡ／Ｄ変換部１００に入力信号が入力されると、Ａ／Ｄ変換部１００は、これをサンプリングしてデジタル値に変換させる（Ｓ２００）。変換されたデジタル値は、ゼロ交差点検出部１１０に出力され、極性が変化するゼロ交差点を検出する（Ｓ２１０）。周期情報検出部１２０は、検出されたゼロ交差点に基づいてゼロ交差点間の周期信号から周期情報を検出する（Ｓ２２０）。次に、ゼロ交差点カウント・比較部１３０は、検出されたゼロ交差点に基づいてこれをカウントする。カウントされた結果は、現在まで検出されたゼロ交差点の数であり、これがゼロ交差点カウント・比較部１３０に格納された誤差検出対象ゼロ交差点の数と同じであるか否かを判断する（Ｓ２３０）。判断の結果、互いに同一である場合、ヒストグラム情報算出部１４０は、現在まで検出されたゼロ交差点に基づいたそれぞれの周期信号の周期情報を用いて各周期情報別のヒストグラム情報を算出する（Ｓ２４０）。互いに同一でない場合、Ｓ２１０〜Ｓ２３０を繰り返して行う。また、周波数誤差演算部１５０は、算出されたヒストグラム情報および格納された基準ヒストグラム情報を用いて周波数誤差値（ＦＥ）を演算し（Ｓ２５０）、演算された周波数誤差値（ＦＥ）に基づいてＤＶＤシステムの動作周波数を入力信号の周波数に同期させる（Ｓ２６０）。
【００４３】
また、演算された周波数誤差値（ＦＥ）は、フィードバック部１６０の誤差検出ステップマッピング部１６１に入力され（Ｓ３００）、入力された周波数誤差値（ＦＥ）に対応する誤差検出ステップが検出される（Ｓ３１０）。誤差検出対象ゼロ交差点数指定部１６２は、検出された誤差検出ステップに基づいて所定の誤差検出対象ゼロ交差点数を指定する（Ｓ３２０）。指定された誤差検出対象ゼロ交差点数に対するデータは、ゼロ交差点カウント・比較部１３０に出力され（Ｓ３３０）、ゼロ交差点カウント・比較部１３０に設けられた誤差検出対象ゼロ交差点数に対する格納領域にアップデートされ、以後の周波数誤差検出過程において使用される。
【００４４】
図６は、本発明に係る検出装置により算出されたＳＮＲ ２３［ｄＢ］の基準入力信号のヒストグラム情報を示す図であり、図７は、図６の基準入力信号より遅い入力信号のヒストグラム情報を示す図であり、図８は、図６の基準入力信号より速い入力信号のヒストグラム情報を示す図である。
【００４５】
本明細書では、ＤＶＤシステムに入力されたＳＮＲ ２３［ｄＢ］の入力信号を基準入力信号として説明する。従って、図６に示された入力信号のヒストグラム情報が基準入力信号に対するヒストグラム情報となり、このときの基準入力信号の周波数は、ＤＶＤシステムの動作周波数と同期される。図７のヒストグラム情報は、基準入力信号より３７．５％だけ遅く動作する入力信号に対するヒストグラム情報であり、図８のヒストグラム情報は、基準入力信号より３７．５％だけ速く動作する入力信号に対するヒストグラム情報である。図７のヒストグラム情報を有する入力信号が本発明に係る検出装置に入力されると、図４の過程および数式（１）によって＋３７．５％の周波数誤差値（ＦＥ）に演算され、ＤＶＤシステムでは、これに基づいて周波数誤差を補正し、ＤＶＤシステムの動作周波数を入力信号の周波数に同期させる。また、図８のヒストグラム情報を有する入力信号が本発明に係る検出装置に入力されると、図４の過程および数式（１）によって−３７．５％の周波数誤差値（ＦＥ）に演算され、ＤＶＤシステムでは、これに基づいて周波数誤差を補正し、ＤＶＤシステムの動作周波数を入力信号の周波数に同期させる。本実施例においては、数式（１）で基準ヒストグラム情報の平均値に相当する周期情報（ｐ）は４に（ｐ＝４）、基準ヒストグラム情報における周期情報のうちの最大周期情報（ｑ）は１９に（ｑ＝１９）設定した。
【００４６】
以上、図面を参照して本発明について説明してきたが、本発明の保護範囲は、前記の実施例に限定されるものではなく、特許請求の範囲に記載された発明とその均等物にまで及ぶものである。
【図面の簡単な説明】
【００４７】
【図１】入力信号の周期信号に対する周期情報を検出するためのタイミング図である。
【図２】従来の周波数誤差検出装置の構成を示すブロック図である。
【図３】本発明に係る周波数誤差検出装置の構成を示すブロック図である。
【図４】本発明に係る入力信号のヒストグラム分析による周波数誤差検出方法において周波数誤差値（ＦＥ）を検出する過程を示すフローチャートである。
【図５】本発明に係る入力信号のヒストグラム分析による周波数誤差検出方法において検出された周波数誤差値（ＦＥ）に基づいて誤差検出対象ゼロ交差点数を算出する過程を示すフローチャートである。
【図６】本発明に係る検出装置により算出されたＳＮＲ ２３［ｄＢ］の基準入力信号のヒストグラム情報を示す図である。
【図７】図６の基準入力信号より遅い入力信号のヒストグラム情報を示す図である。
【図８】図６の基準入力信号より速い入力信号のヒストグラム情報を示す図である。
【符号の説明】
【００４８】
１００    Ａ／Ｄ変換部
１１０    ゼロ交差点検出部
１２０    周期情報検出部
１３０    ゼロ交差点カウント・比較部
１４０    ヒストグラム情報算出部
１５０    周波数誤差演算部
１６０    フィードバック部
１６１    誤差検出ステップマッピング部
１６２    誤差検出対象ゼロ交差点数指定部
【図１】
2004281040.tif 000007
【図２】
2004281040.tif 000008
【図３】
2004281040.tif 000009
【図４】
2004281040.tif 000010
【図５】
2004281040.tif 000011
【図６】
2004281040.tif 000012
【図７】
2004281040.tif 000013
【図８】
2004281040.tif 000014